(57)【要約】      （修正有）【課題】郵便箱に赤外線防犯カメラや緊急時に音と光で外部に知らせることが出来るフラッシュライトや盗難を防止するキーロック装置を一体化した防犯・防災システムを提供する。【解決手段】郵便箱２は住居１の室外に設置されている。防犯カメラ５ａ、５ｂが感知した映像と音声は、有線若しくは無線手段によって、室内のコントローラー８を介してモニター９に送信される。郵便箱２の屋根部分にはフラッシュライトが取り付けてある。そして、住居１内の火災報知器１２のセンサーが火災発生時に煙を感知して発報すると、フラッシュライトを点滅させ、光と音で近隣に火災を知らせることが出来る。郵便箱２の郵便物取り出し用扉６の内側に取り付けるキーロック装置７は、住居１内のキーロックスイッチ１０の解錠ボタンで扉を開けることが出来る。郵便物を取り出して扉を閉め、キーロックスイッチ１０の施錠ボタンを押すと施錠される。【選択図】図１
0003147896.tif 000002
【実用新案登録請求の範囲】
【請求項１】
郵便収納部に郵便物投入口と郵便物を取り出す取り出し用扉を備え、郵便物投入口の近くに防犯カメラを郵便箱と一体化して取り付けた郵便箱。
【請求項２】
郵便収納部の上部にフラッシュライトを取り付け、郵便箱とフラッシュライトを一体化して構成した郵便箱。
【請求項３】
郵便収納部の郵便物取り出し用扉にキーロック装置を取り付けた、請求項１あるいは請求項２に記載の郵便箱。
【請求項４】
住居内にモニターを備え、このモニターと郵便箱に取り付けてある赤外線防犯カメラと有線又は無線で接続され、音声、映像又はその両者の信号をモニターに送信するものである防犯システム。
【請求項５】
住居内に火災報知器を設置して、前記報知器のセンサーが火災発生時に煙を感知してブザー音が鳴ると同時に、有線又は無線を介して郵便箱に取り付けたフラッシュライトへ発信し、鳴動及び又は点滅させることが出来る防災システム。
【請求項６】
前記郵便箱内に扉開閉用のキーロック装置を、住居内の所望の位置に扉開閉用スイッチを設け、前記郵便箱に取り付けられたキーロック装置を解錠及び施錠することが出来るように構成した防犯システム。
【請求項７】
前記請求項４記載の防犯システムにおいて、住居内のモニターには２台の防犯カメラが接続可能で録画機能もあり、夜間でも録画できるように構成した防犯システム。
【請求項８】
前記防犯カメラは赤外線防犯カメラである請求項１ないし請求項７の何れかに記載の郵便箱及び防犯・防災システム。
【考案の詳細な説明】
【技術分野】
【０００１】
本考案は郵便箱に関するものであり、更には、防犯カメラと、緊急事態を知らしめるフラッシュライトと、郵便物盗難防止用キーロック機能を備え、住居内にはコントローラー内蔵のモニターと、火災報知器と、郵便箱の郵便物取り出し用扉開閉用キースイッチの一部あるいは選択的にその何れかを備える郵便箱及び防犯・防災システムに関するものである。
【背景技術】
【０００２】
従来、郵便箱は戸外に独立した形で取り付けてあり、赤外線防犯カメラなどは玄関先かその他の場所に取り付けられ、郵便箱と一体ではない。郵便箱の郵便物取り出し用扉の盗難防止用には錠前やダイヤル式のロック機能が一般的である。
【０００３】
すなわち、従来の郵便箱にはカメラなどが備えられていないため、防犯・防災のためには郵便箱設置後に別工事を行う必要があった。また、郵便箱を開くためには郵便箱に取り付けてある鍵を解除しなければならず、雨の日などは困難だった。
【考案の開示】
【考案が解決しようとする課題】
【０００４】
そこで本考案は、郵便箱に赤外線防犯カメラや緊急時に音と光で外部に知らせることが出来るフラッシュライトや盗難を防止するキーロック装置を一体化することで個別に取り付ける労働的手間や経済的負担を軽くすることを目的として成されたものである。
【課題を解決するための手段】
【０００５】
前記目的を達成するために本考案は、郵便箱の郵便物投入口付近に赤外線防犯カメラを郵便箱と一体的に取り付けたものである。また、有線で住居内と接続する場合は、郵便箱から直接住居内に配線できる場合と、郵便箱の位置が住居から離れている場合は地下にパイプを埋設し、このパイプの中をＡＶケーブルを通して住居内に配線する。フラッシュライトの場合も同じようにして施設する。
【０００６】
前記のように、郵便箱に赤外線防犯カメラとフラッシュライトを一体化することで、防犯及び防災効果を得ることが出来る。また、容易に郵便物を取り出せないキーロック機能を持たせることで、郵便物の盗難防止として役立つ。
【０００７】
郵便箱に取り付けた赤外線防犯カメラと住居内のモニターによって、夜間でも音声と映像で来訪者の見分けがつく。犯罪の多発する現代において自己防衛の効果は大きい。
【考案を実施するための最良の形態】
【０００８】
郵便箱の取り付け位置は出来るだけ住居に近い所にする。フラッシュライトの鳴動は音量調整が出来るようにし、郵便箱を設置する場合は近隣にも了解を得た方が良い。少子高齢化と犯罪多発の現代を考えるとき、小単位の地域や町内会が核となっての防衛に役立つ。
【実施例】
【０００９】
以下、図に従って一実施例を説明する。
【００１０】
図１は本考案の一実施例である住居と郵便箱の概念図である。
【００１１】
郵便箱２は住居１の室外に設置されている。防犯カメラ５ａ、５ｂが感知した映像と音声は、有線若しくは無線手段によって、室内のコントローラー８を介してモニター９に送信され、モニターの画面に映し出された映像によって郵便物の配達員か不審者かの判断が出来る。
【００１２】
郵便箱２の屋根部分にはフラッシュライトが取り付けてある。そして、住居１内の火災報知器１２のセンサーが火災発生時に煙を感知して発報すると、有線又は無線手段によって、フラッシュライトを点滅させ、光と音で近隣に火災を知らせることが出来る。
【００１３】
郵便箱２の郵便物取り出し用扉６の内側に取り付けるキーロック装置７は、住居１内のキーロックスイッチ１０の解錠ボタンで扉を開けることが出来る。郵便物を取り出して扉を閉め、キーロックスイッチ１０の施錠ボタンを押すと施錠される。このキーロックスイッチは一般に知られているシーソースイッチが使用できる。
【００１４】
図１の住居内に設置されるビデオデッキ１１は、モニター９と市販のピンケーブルで接続され、室外の防犯カメラ５ａあるいは５ｂから送信される映像は音声と共に録画することが出来る機能を備えている。
【００１５】
図２は本考案の一実施例であるシステムのブロック構成図である。
【００１６】
郵便箱２のインターホン付き防犯カメラ５ａからの映像と音声が、コントローラー８を介して室内のモニター９に送信され、室内においてモニター９の画面を通して郵便箱周辺の状況を把握することが出来る。
【００１７】
住居内に設置された火災報知器１２は、火災発生時に報知器内のセンサーが煙を感知して鳴動する。これと同時に、煙感知信号はコントローラー８を介して室外の郵便箱２に設置したフラッシュライト４に送信される。これにより、ブザー付きフラッシュライトは鳴動あるいは点滅し、近隣に火災を知らせることが出来る。
【００１８】
住居内のキー解錠スイッチ１１は、郵便箱２から郵便物を取り出す際にスイッチをＯＮにして扉を開き、郵便物を取り出した後にキーロック１０ボタンを押して施錠する。このキー解錠スイッチも前記と同様に市販のシーソースイッチを使用することが出来る。
【００１９】
図３は、本考案の一実施例であるモニター９に、２台の防犯カメラ５ａと５ｂを接続した図である。
【００２０】
図４は、同じくモニター９に１台の防犯カメラ５ａと１台のビデオデッキ１１を接続した図である。
【００２１】
前記のようにモニター９には２台の防犯カメラの接続が可能で、１台目は郵便箱と一体化したものであり、２台目は玄関先の軒下又は、寝たきりの高齢者の場合、その居住する部屋内の状況に合わせて設置が可能である。
【００２２】
前記の図３、図４において、ＣＨ１はチャンネル１、ＣＨ２はチャンネル２を示しており、チャンネルＣＨ１を選択した場合はモニター９の画面にカメラ５ａの映像を表示し、チャンネルＣＨ２を選択した場合カメラ５ｂの画像が選択されてモニターの画面に表示される切り替えスイッチ１３ａまたは１３ｂを操作する事により、その時々の様子を切り替え見ることが出来る。
【００２３】
図５は、住居内のシーソースイッチ回路図であり、１４のシーソースイッチがＯＮの状態で郵便箱の郵便物取り出し用扉のロックが外れる、シーソースイッチ１４がＯＦＦの状態で自然に施錠される。
【００２４】
図６は、郵便箱の内側に取り付けるキーロックの構造で、シーソースイッチがＯＦＦの状態で施錠された事を示している。
【００２５】
キーロック装置はコイル１５内を上下動するプランジャー１９、及びこのプランジャー１９に係合する錠前杆２０から大構成される。錠前杆２０は郵便箱２の郵便物取り出し用扉６の下端に取り付けられている。
【００２６】
図６において、コイル１５は単相巻きのコイルで電源Ｅにシーソースイッチ１４を介して接続されている。このコイル１５は円筒の樹脂に埋没されており合成樹脂のフランジ１６で、ネジ１７により郵便箱２の内底面に取り付けられている。プランジャー１９は、このコイル１５に上下動可能に内装されていて、コイル１５に通電されると磁気力で下方に引かれ、通電が解除されると上方に復帰する。押上バネ１８はこの動作をスムーズに行わせるためにプランジャー１９の下端面を郵便箱２の底面間に介在させた圧縮コイルバネである。錠前杆２０は郵便物取り出し用扉に取り付けたロック部材である。
【００２７】
図７は郵便箱の内部に取り付けたキーロック装置の断面図であり、シーソースイッチがＯＮで開錠した状態を示している。
【図面の簡単な説明】
【００２８】
【図１】住居と郵便箱の概念図
【図２】システムのブロック図
【図３】防犯カメラとモニターの接続図
【図４】防犯カメラとモニターとビデオデッキの接続図
【図５】シーソースイッチの回路図
【図６】郵便箱内に取り付けるキーロック
【図７】キーロック断面図
【符号の説明】
【００２９】
１      住居
２      郵便箱
３      郵便物投入口
４      ブザー付フラッシュライト
５ａ    防犯カメラ（ＣＨ１）
５ｂ    防犯カメラ（ＣＨ２）
６      郵便物取り出し用扉
７      キーロック装置
８      コントローラー
９      モニター
１０    キーロックＳＷ
１０ａ  施錠装置
１０ｂ  開錠装置
１１    ビデオデッキ
１２    火災報知器
１３ａ  ＣＨ１切替スイッチ
１３ｂ  ＣＨ２切替スイッチ
１４    室内側シーソースイッチ
１５    コイル
１６    フランジ
１７    フランジ止めボルト
１８    押し上げバネ
１９    プランジャー
２０    錠前杆
【図１】
0003147896.tif 000003
【図２】
0003147896.tif 000004
【図３】
0003147896.tif 000005
【図４】
0003147896.tif 000006
【図５】
0003147896.tif 000007
【図６】
0003147896.tif 000008
【図７】
0003147896.tif 000009
【手続補正書】
【提出日】平成20年9月1日(2008.9.1)
【手続補正１】
【補正対象書類名】実用新案登録請求の範囲
【補正対象項目名】請求項６
【補正方法】変更
【補正の内容】
【請求項６】
前記郵便箱内に扉開閉用のキーロック装置を設け、住居内の所望の位置に扉開閉用スイッチを設け、前記郵便箱に取り付けられたキーロック装置を開錠及び施錠することが出来るように構成した前記請求項１乃至５の何れかに記載の防犯システム。
【手続補正２】
【補正対象書類名】実用新案登録請求の範囲
【補正対象項目名】請求項８
【補正方法】変更
【補正の内容】
【請求項８】
前記防犯カメラは赤外線防犯カメラである前記請求項１又は７に記載の郵便箱及び防犯・防災システム。
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
郵便収納部に郵便物投入口と郵便物取り出し用扉を備え、郵便物投入口の近くに防犯カメラを郵便箱と一体化して取り付けた郵便箱。
【請求項２】
郵便収納部の上部にフラッシュライトを取り付け、郵便箱とフラッシュライトを一体化して構成した請求項1記載の郵便箱。
【請求項３】
郵便収納部の郵便物取り出し用扉にキーロック装置を取り付けた請求項１あるいは請求項２記載の郵便箱。
【請求項４】
前記郵便箱内に扉開閉用のキーロック装置を設け、住居内の所望の位置に扉開閉用スイッチを設け、前記郵便箱に取り付けられたキーロック装置を室内から開錠及び施錠することが出来るように構成した前記請求項３記載の郵便箱。
【請求項５】
住居内にモニターを設置し、このモニターと屋外の郵便箱に取り付けてある防犯カメラとを有線又は無線で接続し、音声、映像又はその両者の信号をモニターに送信するものである防犯システム。
【請求項６】
住居内のモニターは２台の防犯カメラが接続可能で録画機能をも有しており、夜間でも録画できるものである請求項５記載の防犯システム。
【請求項７】
住居内に火災報知機を設置し、この火災報知機は、そのセンサーが火災発生時に煙を感知した場合はブザー音を発すると共に、有線又は無線よって郵便箱に取り付けたフラッシュライトへ発信し、フラッシュライトを鳴動及び又は点滅させるように構成した防災システム。
【請求項８】
前記防犯カメラは赤外線防犯カメラである請求項１記載の郵便箱又は請求項５記載の防犯システム。